(57)【要約】  データ処理装置１において、電源オフ状態と記録待機状態と電源オン状態の三つの電源状態を設ける。電源オフ状態では、少なくともドライブ部１０への電源の供給を停止し、記録待機状態では、少なくともドライブ部１０と制御部１１へ電源を供給し、電源オン状態では、信号処理部９とドライブ部１０と信号出力部８と制御部１１へ電源を供給するよう電源の供給を制御する。信号出力部８は、記録待機状態では、映像／音声出力を停止し、電源オン状態では、映像／音声を出力する。データ処理装置１は、電源オフ状態において表示装置２が電源オンへ遷移したことを示す信号を受信したときに、記録待機状態へ切替え、また、記録待機状態において表示装置２から、記録動作開始信号または電源状態確認信号を受信したときに、電源オン状態へ切り替える。
2008108070.tif 000002
【特許請求の範囲】
【請求項１】
外部接続された表示装置から制御信号を受信する受信部と、
映像および／または音声のデータを生成する信号処理部と、
前記信号処理部で生成されたデータを記録媒体に格納するドライブ部と、
映像および／または音声の信号を出力する信号出力部と、
前記信号処理部と前記ドライブ部と前記信号出力部の動作を制御する制御部とを備えたデータ処理装置であって、
さらに、前記信号処理部と前記ドライブ部と前記信号出力部と前記制御部への電源の供給を制御する電源制御部を備え、
前記電源制御部は、少なくとも電源オフ状態と記録待機状態と電源オン状態の三つの電源状態に電源の供給を制御可能であり、
前記電源制御部は、前記電源オフ状態では、少なくとも前記ドライブ部への電源の供給を停止し、前記記録待機状態では、少なくとも前記ドライブ部と前記制御部へ電源を供給し、前記電源オン状態では、前記信号処理部と前記ドライブ部と前記信号出力部と前記制御部へ電源を供給するよう電源の供給を制御し、
前記信号出力部は、前記電源オフ状態と前記記録待機状態では、映像および／または音声の信号出力を停止し、前記電源オン状態では、映像および／または音声の信号を出力し、
前記電源制御部は、
電源オフ状態において、前記受信部が、前記表示装置が電源オンへ遷移したことを示す信号を受信したときに、電源状態を電源オフ状態から記録待機状態へ切替え、
記録待機状態において、前記受信部が前記表示装置から、記録動作の開始を指示する信号、または前記データ処理装置の電源状態を問い合わせるための電源状態確認信号を受信したときに、電源状態を記録待機状態から電源オン状態へ切り替える
ことを特徴とするデータ処理装置。
【請求項２】
電源状態を表示するフロントパネル部をさらに備えたことを特徴とする請求項１記載のデータ処理装置。
【請求項３】
前記電源オフ状態において、前記フロントパネル部は電源オフであることを表示することを特徴とする請求項２記載のデータ処理装置。
【請求項４】
前記記録待機状態において、前記フロントパネル部は電源オフであることを表示することを特徴とする請求項２記載のデータ処理装置。
【請求項５】
外部接続された表示装置へ制御信号を送信する送信部をさらに備え、前記記録待機状態において、前記送信部が定期的に前記表示装置へ、前記表示装置の電源状態を問い合わせるための電源状態確認信号を送信することを特徴とする請求項１記載のデータ処理装置。
【請求項６】
前記記録待機状態において、前記受信部が、前記電源状態確認信号の応答として前記表示装置が電源オフであることを示す信号を受信したとき、または、前記電源状態確認信号を送信してから所定時間内に前記表示装置から応答を受信しなかったとき、または、前記電源状態確認信号の送信に失敗したときに、前記電源制御部は電源状態を記録待機状態から電源オフ状態へ切り替えることを特徴とする請求項５記載のデータ処理装置。
【請求項７】
前記記録待機状態において、前記受信部が前記表示装置から前記表示装置が電源オフになったことを示す信号を受信したとき、前記電源制御部は電源状態を記録待機状態から電源オフ状態へ切り替えることを特徴とする請求項１記載のデータ処理装置。
【請求項８】
前記記録待機状態において、前記受信部が前記表示装置からデータ処理装置の電源をオンさせるための信号を受信したとき、前記電源制御部は電源状態を記録待機状態から電源オン状態へ切り替えることを特徴とする請求項１記載のデータ処理装置。
【請求項９】
前記電源オフ状態において、前記受信部が前記表示装置からデータ処理装置の電源をオンさせるための信号を受信したとき、前記電源制御部は電源状態を前記電源オフ状態から前記電源オン状態へ切り替えることを特徴とする請求項１記載のデータ処理装置。
【請求項１０】
外部接続された表示装置から制御信号を受信する受信部と、映像および／または音声のデータを生成する信号処理部と、前記信号処理部で生成されたデータを記録媒体に格納するドライブ部と、映像および／または音声の信号を出力する信号出力部と、前記信号処理部と前記ドライブ部と前記信号出力部の動作を制御する制御部とを備えたデータ処理装置の電源制御方法であって、
少なくとも電源オフ状態と記録待機状態と電源オン状態の三つの電源状態に電源の供給を制御し、
前記電源オフ状態では、少なくとも前記ドライブ部への電源の供給を停止し、前記記録待機状態では、少なくとも前記ドライブ部と前記制御部へ電源を供給し、前記電源オン状態では、前記信号処理部と前記ドライブ部と前記信号出力部と前記制御部へ電源を供給するよう電源の供給を制御し、また、前記電源オフ状態と前記記録待機状態では、前記信号出力部は映像および／または音声の信号出力を停止し、前記電源オン状態では、前記信号出力部は映像および／または音声の信号を出力し、
電源オフ状態において前記受信部が、前記表示装置が電源オンへ遷移したことを示す信号を受信したとき、電源状態を電源オフ状態から記録待機状態へ切替え、
記録待機状態において前記受信部が前記表示装置から記録の開始を指示する信号、またはデータ処理装置の電源状態を問い合わせるための電源状態確認信号を受信したとき、データ処理装置の電源状態を記録待機状態から電源オン状態へ切り替える
ことを特徴とする電源制御方法。
【発明の詳細な説明】
【技術分野】
【０００１】
本発明は、光ディスクやハードディスク装置（ＨＤＤ）等の記録媒体に映像および／または音声のデータを記録可能なデータ処理装置に関し、特に、ＨＤＭＩやＩＥＥＥ１３９４などの通信インタフェースを介して表示装置と接続され、表示装置から送信される制御信号によって遠隔操作可能なデータ処理装置に関する。
【背景技術】
【０００２】
従来から、テレビ放送を受信し、映像を表示する表示装置（例えばテレビ受像機）と、テレビ放送のデータを記録可能なデータ処理装置とを通信インタフェースによって接続し、表示装置から送信される制御信号によってデータ処理装置を遠隔操作可能なシステムが提案されている。【０００３】
例えば、特許文献１記載の記録再生装置は、セットトップボックス内蔵テレビ受像機と接続され、そのセットトップボックス内蔵テレビ受像機から送信される制御信号によって遠隔操作が可能である。この記録再生装置は、電源オフ状態において、セットトップボックス内蔵テレビ受像機から送信された電源オン信号を受信すると、電源オフ状態から電源オン状態に遷移し、さらに、予約番組記録信号を受信すると、内蔵する記録媒体に受信したテレビ放送のデータを記録する。なお、この記録再生装置は、電源オフ状態において、入出力手段と、信号処理手段と、記録手段と、制御手段への電力供給を停止しているが、制御信号の有無を検出する手段には電力供給を継続している。また、記録再生装置は、セットトップボックス内蔵テレビ受像機から送信された電源オン信号を受信したとき、入出力手段と信号処理手段と記録手段と制御手段への電源供給を開始する。このような構成によって、電源オフ状態における遠隔操作を実現すると同時に省電力化を実現している。【０００４】
また、特許文献１は、セットトップボックス内蔵テレビ受像機からの予約登録方法について開示している。ここで提案されている方法は、セットトップボックス内蔵テレビ受像機から記録再生装置へ録画開始信号を送信する場合にも応用できる。【０００５】
一般に、ハードディスク装置（以下「ＨＤＤ」という。）は停止状態から記録可能な状態になるまでにスピンアップを行う必要があり、そのスピンアップの完了に時間がかかる。特に、ＨＤＤが電源オフ状態（電源が供給されていない状態）から起動するときは、スピンアップの完了により多くの時間（例えば８〜２０秒程度）を要する。【０００６】
【特許文献１】特開２００４−３４９７９０号公報
【特許文献２】特開２００６−２０９９４１号公報
【発明の開示】
【発明が解決しようとする課題】
【０００７】
特許文献１記載の記録再生装置において、記録手段の記録媒体としてＨＤＤを採用した場合、記録再生装置の電源オフ状態中にユーザがセットトップボックス内蔵テレビ受像機で視聴中の番組を録画開始するために、セットトップボックス内蔵テレビ受像機を操作し、セットトップボックス内蔵テレビ受像機が録画開始信号を送信しても、記録再生装置において即座に録画開始することはできないという問題がある。これは、前述のように、ＨＤＤを電源オフ状態から起動する場合、スピンアップにより多くの時間を要するからである。【０００８】
この課題を解決する方法として、電源オフ状態において記録手段へ電力を供給し、ＨＤＤを常に即座に記録可能な状態にしておくことが考えられる。しかし、この方法では、ＨＤＤは電力消費量が大きいため、省電力化が実現できない。【０００９】
上記の課題を解決する方法として、特許文献２記載のデータ処理装置のように、データバッファを搭載し、ＨＤＤのスピンアップ完了まではデータバッファに一時的に記録しておき、スピンアップ完了後にデータバッファに記録されたデータをＨＤＤへ書き込む方法がある。しかし、この方法では、データバッファを新たに設ける必要があり、構造が複雑となり、製造コストが増加する。【００１０】
本発明は、上記の課題を解決するためになされたものであり、その目的とするところは、簡単な構成で、ユーザが視聴中の番組を即座に録画開始することを実現し、さらに、省電力化を実現するデータ処理装置を提供することにある。
【課題を解決するための手段】
【００１１】
本発明では、データ処理装置が電源オフ状態と記録待機状態と電源オン状態の三つの電源状態を持ち、電源オフ状態において、外部接続された表示装置が電源オンへ遷移したことを検知したときに、電源オフ状態から記録待機状態に遷移することによって、前述の課題を解決する。【００１２】
本発明に係るデータ処理装置は、外部接続された表示装置から制御信号を受信する受信部と、映像および／または音声のデータを生成する信号処理部と、信号処理部で生成されたデータを記録媒体に格納するドライブ部と、映像および／または音声の信号を出力する信号出力部と、信号処理部とドライブ部と信号出力部の動作を制御する制御部と、信号処理部とドライブ部と信号出力部と制御部への電源の供給を制御する電源制御部とを備える。【００１３】
電源制御部は、少なくとも電源オフ状態と記録待機状態と電源オン状態の三つの電源状態に電源の供給を制御可能である。電源制御部は、電源オフ状態では、少なくともドライブ部への電源の供給を停止し、記録待機状態では、少なくともドライブ部と制御部へ電源を供給し、電源オン状態では、信号処理部とドライブ部と信号出力部と制御部へ電源を供給するよう電源の供給を制御する。前記電源オフ状態と記録待機状態では、信号出力部は映像および／または音声の信号出力を停止し、電源オン状態では、信号出力部は映像および／または音声の信号を出力する。電源制御部は、電源オフ状態において受信部が、表示装置が電源オンへ遷移したことを示す信号を受信したとき、電源状態を電源オフ状態から記録待機状態へ切替え、記録待機状態において受信部が表示装置から記録動作の開始を指示する信号、またはデータ処理装置の電源状態を問い合わせるための電源状態確認信号を受信したとき、電源状態を記録待機状態から電源オン状態へ切り替える。【００１４】
本発明に係る電源制御方法はデータ処理装置の電源制御方法である。データ処理装置は、外部接続された表示装置から制御信号を受信する受信部と、映像および／または音声のデータを生成する信号処理部と、信号処理部で生成されたデータを記録媒体に格納するドライブ部と、映像および／または音声の信号を出力する信号出力部と、信号処理部とドライブ部と信号出力部の動作を制御する制御部とを備える。【００１５】
電源制御方法によれば、少なくとも電源オフ状態と記録待機状態と電源オン状態の三つの電源状態に電源の供給を制御する。すなわち、電源オフ状態では、少なくともドライブ部への電源の供給を停止し、記録待機状態では、少なくともドライブ部と制御部へ電源を供給し、電源オン状態では、信号処理部とドライブ部と信号出力部と制御部へ電源を供給するよう電源の供給を制御する。前記電源オフ状態と記録待機状態では、信号出力部は映像および／または音声の信号出力を停止し、電源オン状態では、信号出力部は映像および／または音声の信号を出力する。電源オフ状態において受信部が、表示装置が電源オンへ遷移したことを示す信号を受信したとき、電源状態を電源オフ状態から記録待機状態へ切替える。記録待機状態において受信部が表示装置から記録の開始を指示する信号、またはデータ処理装置の電源状態を問い合わせるための電源状態確認信号を受信したとき、データ処理装置の電源状態を記録待機状態から電源オン状態へ切り替える。
【発明の効果】
【００１６】
本発明によれば、電源オフ状態と記録待機状態と電源オン状態の三つの電源状態が切り替えられる。電源オフ状態において、少なくとも、ドライブ部への電源の供給を停止し、これによって省電力化を実現する。また、記録待機状態において、ドライブ部と制御部を動作可能な状態にしているため、表示装置からの記録開始信号を受信したときに、ドライブ部でのスピンアップに要する時間を短縮でき、ユーザ操作から実際に記録が開始されるまでに要する時間が短縮できる。本発明によれば、三つの電源状態を適宜切り替えることで、簡単な構成で、省電力化及びデータ処理装置の起動時の迅速な録画開始処理を実現するデータ処理装置を実現できる。
【図面の簡単な説明】
【００１７】
【図１】本発明の実施の形態における、データ処理装置及びテレビ受像機からなるシステムの構成図
【図２】ＨＤＤレコーダの各電源状態における、制御部と信号出力部とドライブ部（ＨＤＤ）への電源供給の状態と、フロントパネル部での表示を説明した図
【図３】ＨＤＤレコーダの電源状態の遷移図
【図４】ＨＤＤレコーダが電源オン状態においてテレビ受像機から録画開始を指示される際の通信シーケンス図
【図５】ＨＤＤレコーダが電源オフ状態においてテレビ受像機から録画開始を指示される際の通信シーケンス図
【図６】ＨＤＤレコーダが記録待機状態においてテレビ受像機から録画開始を指示される際の通信シーケンス図
【図７】ＨＤＤレコーダが記録待機状態においてテレビ受像機から受信した電源状態通知信号に基づいて電源状態を切り替える際の通信シーケンス図
【符号の説明】
【００１８】
１    ＨＤＤレコーダ（データ処理装置）
２    テレビ受像機（表示装置）
３    ＨＤＭＩインタフェース（ＨＤＤレコーダ）
４    ＨＤＭＩインタフェース（テレビ受像機）
５    受信部
６    送信部
７    電源制御部
８    信号出力部
９    信号処理部
１０    ドライブ部
１１    制御部
１２    フロントパネル部
１３    ＨＤＤ
１４    チューナ
１５    アンテナ
【発明を実施するための最良の形態】
【００１９】
以下、添付の図面を参照して本発明の実施の形態について説明する。【００２０】
１．システム構成及び動作
図１に本発明に係るデータ処理装置の一実施形態であるＨＤＤレコーダとテレビ受像機からなるシステムの構成を示す。図１において、ＨＤＤレコーダ１（データ処理装置）とテレビ受像機２（表示装置）はＨＤＭＩ（High-Definition Multimedia Interface）によって接続される。ＨＤＤレコーダ１は、ＨＤＭＩインタフェース３、受信部５、送信部６、電源制御部７、信号出力部８、信号処理部９、ドライブ部１０、制御部１１、フロントパネル部１２、ＨＤＤ１３、チューナ１４によって構成される。ＨＤＤレコーダ１の動作は、制御部１１が所定のプログラムを実行することにより制御される。テレビ受像機２はＨＤＭＩインタフェース４を備える。ＨＤＤレコーダ１とテレビ受像機２は共にアンテナ１５を介して放送波信号を受信する。【００２１】
ＨＤＤレコーダ１は受信している放送波信号を映像および／または音声のデータへ変換し、ドライブ部１０のＨＤＤ１３に記録する機能を有する。チューナ１４は受信した放送波信号を信号処理部９へ送信する。信号処理部９はその放送波信号を映像および／または音声のデータへ変換し、その映像および／または音声データを信号出力部８へ出力する。信号出力部８は、ＨＤＭＩインタフェース３を介して、入力した映像および／または音声のデータをテレビ受像機２へ送信する。テレビ受像機２は、ＨＤＭＩインタフェース４を介して入力した映像および／または音声のデータを表示、出力する。【００２２】
ここで、ＨＤＤレコーダ１に対してユーザ操作によってチャンネル切換が指示されると、制御部１１はチューナ１４に対して選局を指示し、ユーザが指定したチャンネルへと切り換える。また、ユーザ操作によって、受信中の番組の録画が指示されると、制御部１１は信号処理部９に対して、映像および／音声データをドライブ部１０へ出力することを指示し、ドライブ部１０は映像および／音声データをＨＤＤ１３へ記録する。以後、ユーザ操作によって、録画停止が指示されるまで、ドライブ部１０は映像および／音声データの記録を継続する。【００２３】
本実施形態のＨＤＤレコーダ１は、テレビ受像機２から制御信号を受信し、その制御信号による遠隔操作が可能となっている。受信部５は、ＨＤＭＩインタフェース３を介して、テレビ受像機２からの制御信号を受信し、その制御信号を制御部１１へ通知する。制御部１１がその制御信号に基づき動作することによって、ＨＤＤレコーダ１はテレビ受像機２からの遠隔操作を実現する。また、送信部６は、ＨＤＭＩインタフェース３を介して、テレビ受像機２へ制御信号を送信する。なお、ＨＤＤレコーダ１とテレビ受像機２の間の制御信号の送受信においてＨＤＭＩインタフェース３への電源供給は必要ない。【００２４】
２．  ＨＤＤレコーダの電源状態
以下、ＨＤＤレコーダ１の電源状態について説明する。ＨＤＤレコーダ１はＡＣ電源によって駆動し、「電源オン状態」と「電源オフ状態」と「記録待機状態」の三つの電源状態を有する。この電源状態は電源制御部７により切替えられる。電源状態に応じて電源が供給される処理部が異なる。ＨＤＤレコーダ１の電源状態に関わらず、電源制御部７とフロントパネル部１２には常時電源が供給される。それ以外の処理部に対する電源供給は電源制御部７によって制御される。フロントパネル部１２は常時ＨＤＤレコーダ１の電源状態を示す表示を表示する。以下、各電源状態における制御について説明する。【００２５】
２．１  各電源オン状態での制御
（１）電源オン状態での制御
ＨＤＤレコーダ１が「電源オン状態」のとき、電源制御部７は、全ての処理部、つまり、ＨＤＭＩインタフェース３と、受信部５と、送信部６と、信号出力部８と、信号処理部９と、ドライブ部１０と、制御部１１と、ＨＤＤ１３と、チューナ１４へ電源を供給する。この電源オン状態において、ＨＤＤレコーダ１は全ての機能が動作可能である。電源オン状態においてフロントパネル部１２は「電源オン」を表示する。【００２６】
（２）電源オフ状態での制御
ＨＤＤレコーダ１が「電源オフ状態」のとき、電源制御部７は、受信部５と、送信部６と、制御部１１へのみ電源を供給する。この電源オフ状態において、ＨＤＤレコーダ１は「電源オン」以外のユーザ操作を受け付けることができないが、受信部５と、送信部６へ電源を供給することによって、テレビ受像機２からの遠隔操作を可能としている。ＨＤＤレコーダ１をテレビ受像機２から遠隔操作して使用するユーザにとっては、常に電源オン状態にしておく必要がない。電源オフ状態において遠隔操作を可能とすることで、ＨＤＤレコーダ１において省電力化を実現している。さらに、電源オフ状態において制御部１１へ電源を供給し続けることによって、制御部１１において動作するソフトウェアの起動を高速化でき、結果としてＨＤＤレコーダ１全体の起動の高速化を実現している。なお、この起動の高速化が不要であれば、制御部１１には電源を供給しなくてもよい。電源オフ状態においてフロントパネル部１２は「電源オフ」を表示する。【００２７】
（３）記録待機状態での制御
ＨＤＤレコーダ１の記録待機状態において、電源制御部７は、全ての構成要素、つまり、ＨＤＭＩインタフェース３と、受信部５と、送信部６と、信号出力部８と、信号処理部９と、ドライブ部１０と、制御部１１と、ＨＤＤ１３と、チューナ１４へ電源を供給する。但し、このとき、信号出力部８は、映像および／または音声のデータの出力を停止している。また、フロントパネル部１２は「電源オフ」を表示する。このため、ユーザにとって、見た目は、電源オフ状態と記録待機状態の差がなく、ユーザが電源オフ状態と記録待機状態の違いを意識することはない。なお、記録待機状態において、電源制御部７は、少なくともドライブ部１０と制御部１１へ電源を供給すればよい。これは、ドライブ部１０に電源を供給して動作可能な状態にしておけば、その起動時においてスピンアップに要する時間を短縮できるからである。また、制御部１１はテレビ受像機２からの種々の制御信号を受信するために電源が供給され動作可能な状態にされている必要があるからである。【００２８】
記録待機状態は、電源オフ状態と比較すると、ＨＤＭＩインタフェース３と、信号出力部８と、信号処理部９と、ドライブ部１０と、ＨＤＤ１３と、チューナ１４へ電源を供給している分だけ電力消費量が大きくなる。しかし、記録待機状態では、ＨＤＤ１３に電源が供給されているため、ＨＤＤ１３のスピンアップが完了し、ドライブ部１０が動作可能な状態となっているため、ＨＤＤレコーダ１全体の起動処理にかかる時間は短縮化される。【００２９】
なお、図２に、ＨＤＤレコーダ１の各電源状態における、制御部１１及びドライブ部１０（ＨＤＤ１３を含む）への電源供給の有無と、映像および／または音声のデータの出力の有無と、フロントパネル部１２の表示内容とを示す。【００３０】
２．２  電源状態間の遷移
図３を参照してＨＤＤレコーダ１の三つの電源状態の遷移を説明する。【００３１】
（１）電源オフ状態から記録待機状態への遷移
電源オフ状態において、ＨＤＤレコーダ１は、テレビ受像機２が電源オンになったことを検知したとき、電源オフ状態から記録待機状態へ遷移する。例えば、テレビ受像機２は電源オンされると、接続確認信号をＨＤＤレコーダ１へ送信する。ＨＤＤレコーダ１は、その接続確認信号の受信により、テレビ受像機２が電源オンになったことを検知できる。なお、接続確認信号に限らず、テレビ受像機２から出力され得る所定の信号を受信したか否かを検出することで、テレビ受像機２が電源オンになったか否かを検知することができる。【００３２】
（２）記録待機状態から電源オフ状態への遷移
ＨＤＤレコーダ１は、記録待機状態において、テレビ受像機２が電源オフになったことを検知すると、電源オフ状態へ遷移する。テレビ受像機２は電源がオフされると、電源オフ信号を送信する。ＨＤＤレコーダ１は、その電源オフ信号を受信すると、テレビ受像機２が電源オフになったことを検知する。または、記録待機状態において、ＨＤＤレコーダ１は電源状態確認信号をテレビ受像機２へ定期的に送信し、その応答に基づき電源オフ状態へ遷移する場合もある。具体的には、テレビ受像機２から電源状態確認信号の応答として電源状態通知信号を受ける。テレビ受像機２から受信した電源状態信号が「電源オフ」を示していた場合、テレビ受像機２が電源オフになったと認識し、記録待機状態から電源オフ状態へ遷移する。また、ＨＤＤレコーダ１は、記録待機状態において、テレビ受像機２から電源状態確認信号の応答として電源状態通知信号を受信できなかった場合は、テレビ受像機２のＨＤＭＩを介して遠隔操作する機能が無効化されたと認識し、電源状態確認信号の送信に失敗した場合は、テレビ受像機２とのＨＤＭＩによる接続が解除されたと認識し、記録待機状態から電源オフ状態へ遷移する。このシーケンスの詳細については後述する。【００３３】
（３）記録待機状態から電源オン状態への遷移
また、ＨＤＤレコーダ１は、記録待機状態において、制御部１１が、フロントパネル部１２（またはリモコン）上でユーザによりなされたＨＤＤレコーダ１の電源をオンにするための指示を受信したときに、記録待機状態から電源オン状態へ切り替わる。または、記録待機状態において、ＨＤＤレコーダ１が、テレビ受像機２から、遠隔操作によるＨＤＤ１の電源をオンにするための信号（コマンド）である「電源オン信号」または、録画動作の開始を指示する信号である「録画開始信号」を受信したときに、電源オン状態へ切り替わる。または、ＨＤＤレコーダ１は、記録待機状態において、テレビ受像機２から、ＨＤＤレコーダ１の電源状態を問い合わせるための信号である「電源状態確認信号」を受信したときに、電源オン状態に遷移してもよい。【００３４】
このように、ユーザがテレビ受像機２を視聴している間だけ、ＨＤＤレコーダ１は記録待機状態となる。これによって、録画開始にかかる時間を短縮すると共に、省電力化を実現している。【００３５】
（４）電源オフ状態から電源オン状態への遷移
ＨＤＤレコーダ１は下記の場合に電源オフ状態から電源オン状態へ遷移する。すなわち、電源オフ状態において、制御部１１が、フロントパネル部１２（またはリモコン）上でユーザによりなされたＨＤＤレコーダ１の電源をオンにするための指示を受信したときに、電源オフ状態から電源オン状態へ切り替わる。または、電源オフ状態において、ＨＤＤレコーダ１が、テレビ受像機２から遠隔操作によるＨＤＤ１の電源をオンにするための「電源オン信号」を受信したときに、電源オン状態へ切り替わる。【００３６】
（５）電源オン状態から電源オフ状態への遷移
ＨＤＤレコーダ１は下記の場合に電源オン状態から電源オフ状態へ遷移する。すなわち、電源オン状態において、制御部１１が、フロントパネル部１２上（またはリモコン）でユーザによりなされたＨＤＤレコーダ１の電源をオフにするための指示を受信したときに、電源オフ状態から電源オン状態へ切り替わる。または、電源オフ状態において、ＨＤＤレコーダ１が、テレビ受像機２から遠隔操作によるＨＤＤ１の電源をオフにするための「電源オフ信号」を受信したときに、電源オフ状態へ切り替わる。【００３７】
２．３  各電源状態における動作
テレビ受像機２は受信している放送波信号を映像および／または音声のデータへ変換し、表示する機能を有する。ユーザはテレビ受像機２を用いて放送中の番組を視聴することができる。また、テレビ受像機２は、ＨＤＭＩインタフェース４を介して、ＨＤＤレコーダ１へ制御信号を送信し、テレビ受像機２で表示中の番組のデータをＨＤＤレコーダ１で即座に録画開始する機能を有する。このとき、ＨＤＤレコーダ１とテレビ受像機２の間の通信シーケンスはＨＤＤレコーダ１の電源状態によって異なる。以下、この通信シーケンスを説明する。【００３８】
（１）ＨＤＤレコーダが電源オン状態の場合
ＨＤＤレコーダ１が電源オン状態だった場合における、テレビ受像機２で視聴中の番組を録画開始する処理について説明する。図４に、このときの通信シーケンスを示す。【００３９】
テレビ受像機２に対するユーザ操作によって、表示中の番組の録画が指示されると、テレビ受像機２は、ＨＤＤ１レコーダの電源状態を問い合わせるための電源状態確認信号をＨＤＤレコーダ１へ送信する（Ｓ０１）。受信部５は、その電源状態確認信号を受信し、それを制御部１１へ通知する。制御部１１はＨＤＤレコーダ１の電源状態を確認し、確認結果を送信部６へ通知する。この場合、ＨＤＤレコーダ１は電源オン状態であるため、送信部６は「電源オン」を示す電源状態通知信号をテレビ受像機２へ送信する（Ｓ０２）。その電源状態通知信号（電源オン）を受信したテレビ受像機２は、ＨＤＤレコーダ１が電源オン状態であることを認識する。その後、テレビ受像機２は録画開始信号をＨＤＤレコーダ１へ送信する（Ｓ０３）。その録画開始信号を受信した受信部５は、それを制御部１１へ通知する。制御部１１は録画開始信号によって指定されたチャンネルへの選局処理を行った後、録画開始処理を実行する。制御部１１は録画処理が実際に開始された後に、録画開始結果を送信部６へ通知し、送信部６は録画開始結果通知信号をテレビ受像機２へ送信する（Ｓ０４）。【００４０】
（２）ＨＤＤレコーダが電源オフ状態の場合
ＨＤＤレコーダ１が電源オフ状態だった場合における、テレビ受像機２でユーザが視聴中の番組を録画開始する処理について説明する。図５に、このときの通信シーケンスを示す。【００４１】
テレビ受像機２に対するユーザ操作によって、表示中の番組の録画が指示されると、テレビ受像機２は電源状態確認信号をＨＤＤレコーダ１へ送信する（Ｓ０５）。受信部５は、その電源状態確認信号を受信し、それを制御部１１へ通知する。制御部１１はＨＤＤレコーダ１の電源状態を確認し、確認結果を送信部６へ通知する。この場合、ＨＤＤレコーダ１は電源オフ状態であるため、送信部６は「電源オフ」を示す電源状態通知信号をテレビ受像機２へ送信する（Ｓ０６）。その電源状態通知信号（電源オフ）を受信したテレビ受像機２は、ＨＤＤレコーダ１が電源オフ状態であることを認識し、ＨＤＤレコーダ１の電源をオンさせるための制御信号である「電源オン信号」をＨＤＤレコーダ１へ送信する（Ｓ０７）。ＨＤＤレコーダ１はその電源オン信号を受信すると、起動処理を開始する。すなわち、電源制御部７は、ＨＤＭＩインタフェース３と、信号出力部８と、信号処理部９と、ドライブ部１０と、ＨＤＤ１３と、チューナ１４への電源供給を開始する。電源オン信号を送信した後、テレビ受像機２は電源状態確認信号をＨＤＤレコーダ１へ送信する（Ｓ０８）。ＨＤＤレコーダ１は、起動処理開始後、起動処理が完了するまでは、電源状態確認信号に対して「起動中」を示す電源状態通知信号を応答する（Ｓ０９）。テレビ受像機２は、ＨＤＤレコーダ１から「電源オン」を示す電源状態通知信号を受信するまで、電源状態確認信号を定期的にＨＤＤレコーダ１へ送信する。【００４２】
ＨＤＤレコーダ１は、ＨＤＤレコーダ１の起動処理が完了すると、テレビ受像機２から送信された電源状態確認信号に対して「電源オン」を示す電源状態通知信号を応答する（Ｓ１１）。その後、テレビ受像機２は録画開始信号をＨＤＤレコーダ１へ送信する（Ｓ１２）。受信部５はその録画開始信号を受信すると、それを制御部１１へ通知する。制御部１１は録画開始信号によって指定されたチャンネルへの選局処理を行った後、録画開始処理を実行する。制御部１１は録画処理が実際に開始された後に、録画開始結果を送信部６へ通知し、送信部６は録画開始結果通知信号をテレビ受像機２へ送信する（Ｓ１３）。【００４３】
以上のように、ＨＤＤレコーダ１が電源オフ状態であった場合、テレビ受像機２は電源オン信号を送信し、それを受信したＨＤＤレコーダ１は起動処理を開始する。このとき、電源制御部７は、ＨＤＭＩインタフェース３と、信号出力部８と、信号処理部９と、ドライブ部１０と、ＨＤＤ１３と、チューナ１４への電源供給を開始し、処理部単位の起動処理が開始される。ＨＤＤレコーダ１全体の起動処理の完了は、処理部全ての起動処理が完了した後となる。ここで、ＨＤＤ１３はスピンアップに約８〜２０秒の時間がかかるため、特にドライブ部１０の起動処理に長い時間がかかる。このため、ユーザがテレビ受像機２で視聴中の番組を即座に録画しようと操作しても、実際には最初の約８〜２０秒を記録することができないという問題がある。【００４４】
そこで、本実施形態では、前述の通り、ＨＤＤレコーダ１の電源状態として、電源オン状態と、電源オフ状態に加えて、記録待機状態を設けている。次に、ＨＤＤレコーダ１が記録待機状態の場合での動作を説明する。【００４５】
（３）ＨＤＤレコーダが記録待機状態の場合
３−１）テレビ受像機からの録画開始要求受信時の処理
ＨＤＤレコーダ１が記録待機状態であった場合における、テレビ受像機２でユーザが視聴中の番組を録画開始する処理について説明する。図６に、このときの通信シーケンスを示す。【００４６】
テレビ受像機２に対するユーザ操作によって、表示中の番組の録画が指示されると、テレビ受像機２は電源状態確認信号をＨＤＤレコーダ１へ送信する（Ｓ１４）。受信部５は、その電源状態確認信号を受信し、それを制御部１１へ通知する。制御部１１はＨＤＤレコーダ１の電源状態を確認し、確認結果を送信部６へ通知する。この場合、ＨＤＤレコーダ１は記録待機状態であるが、通信シーケンスを簡略化し、処理全体を高速化するために、送信部６は「電源オン」を示す電源状態通知信号をテレビ受像機２へ送信する（Ｓ１５）。その電源状態通知信号（電源オン）を受信したテレビ受像機２は、ＨＤＤレコーダ１が電源オン状態であると認識する。その後、テレビ受像機２は録画開始信号をＨＤＤレコーダ１へ送信する（Ｓ１６）。受信部５は、その録画開始信号を受信し、それを制御部１１へ通知し、ＨＤＤレコーダ１の起動処理が開始される。このとき、予め、ドライブ部１０は電源が供給され、動作可能な状態になっている。すなわち、ドライブ部１０はスピンアップに要する時間を短縮でき、このときに起動処理に要する時間Ｔ'は電源オフ状態において起動に要する時間Ｔ（図５参照）よりも短い。起動処理が完了すると、制御部１１は録画開始信号によって指定されたチャンネルへの選局処理を行った後、録画開始処理を実行する。制御部１１は録画処理が実際に開始された後に、録画開始結果を送信部６へ通知し、送信部６は録画開始結果通知信号をテレビ受像機２へ送信する（Ｓ１７）。【００４７】
なお、記録待機状態（Ｓ１５参照）において、ＨＤＤレコーダ１は、テレビ受像機２から送信された電源状態確認信号に対する応答として「電源オン」を示す電源状態信号を送信していたが、「電源オフ」を示す電源状態信号を送信してもよい。また、ＨＤＤレコーダ１は、テレビ受像機２から送信された電源状態確認信号を最初に受信した時点で（図６のＡの時点で）、録画開始信号を待たずに起動処理を開始してもよい。【００４８】
３−２）テレビ受像機から受信した電源状態通知信号に基づく電源状態の切替処理
次に、ＨＤＤレコーダ１が記録待機状態であった場合において、テレビ受像機２が電源オフした場合の電源状態の切替処理について説明する。図７に、このときの通信シーケンスを示す。【００４９】
ＨＤＤレコーダ１の送信部６は、テレビ受像機２に対して、テレビ受像機２の電源状態を問い合わせるための電源状態確認信号を送信する（Ｓ２１）。テレビ受像機２はその電源状態確認信号に応答して、テレビ受像機２の電源状態を通知する電源状態通知信号をＨＤＤレコーダ１へ送信する（Ｓ２２）。Ｓ２２では、テレビ受像機２の「電源オン」を示す電源状態通知信号が送信されている。ＨＤＤレコーダ１の受信部５は、テレビ受像機２から電源状態通知信号を受けると、それを制御部１１へ通知する。制御部１１は「電源オン」を示す電源状態通知信号を受信したことにより、受像機２が電源オンであると認識し、その認識結果を電源制御部７へ通知する。電源制御部７はその認識結果を受けて記録待機状態を維持する。ＨＤＤレコーダ１は定期的にテレビ受像機２に対して電源状態確認信号を送信する。【００５０】
テレビ受像機２は、電源オフの場合、ＨＤＤレコーダ１が送信した電源状態確認信号（Ｓ２３）の応答として「電源オフ」を示す電源状態通知信号をＨＤＤレコーダ１へ送信する（Ｓ２４）。ＨＤＤレコーダ１の受信部５は「電源オフ」を示す電源状態通知信号を受信すると、それを制御部１１へ通知する。制御部１１は「電源オフ」を示す電源状態通知信号を受信したことにより、テレビ受像機２が電源オフであると認識し、その認識結果を電源制御部７へ通知する。電源制御部７はその認識結果を受けて、電源状態を記録待機状態から電源オフ状態に切り替える。また、停電やその他の障害によりテレビ受像機２への電源供給が断たれた場合、または、テレビ受像機２のＨＤＭＩを介して遠隔操作する機能が無効化された場合、テレビ受像機２は電源状態確認信号の応答として電源状態通知信号を送信することはない。このため、ＨＤＤレコーダ１の制御部１１は、最後に電源状態確認信号を送信してから所定期間経過しても、テレビ受像機２から電源状態通知信号を受信しなかった場合（Ｓ２５）は、テレビ受像機２が電源オフである、または、テレビ受像機２から遠隔操作されることはないと認識し、その認識結果を電源制御部７へ通知する。また、ＨＤＤレコーダ１が電源状態確認信号の送信に失敗した場合、テレビ受像機２とのＨＤＭＩによる接続が解除されたと認識し、その認識結果を電源制御部７へ通知する。これらの場合も、電源制御部７は電源状態を記録待機状態から電源オフ状態に切り替える。【００５１】
なお、電源状態確認信号として特別に信号を設ける必要はなく、テレビ受像機２が電源オンの場合に必ずＨＤＤレコーダ１へ出力される信号を監視してもよい。この場合、ＨＤＤレコーダ１の制御部１１は、その監視している信号を受信している間は、テレビ受像機２が電源オンであると認識でき、その監視している信号が受信できなくなったときに、テレビ受像機２が電源オフになったと認識できる。【００５２】
３．まとめ
以上説明したように、本実施形態のＨＤＤレコーダ１によれば、電源供給状態として３つの電源状態（電源オン状態／電源オフ状態／記録待機状態）を設けた。特に、テレビ受像機２への映像／音声出力を停止して見かけ上”電源オフ”にするとともに、制御部１１及びドライブ部１０（ＨＤＤ１３）への電源供給を行う記録待機状態を設けた。記録待機状態では制御部１１への電源供給が行われていることから、テレビ受像機２からの遠隔操作が可能となる。また、ドライブ部１０（ＨＤＤ１３）へ電源供給が行われていることから、テレビ受像機２から記録開始信号を受信したときに、ドライブ部１０（ＨＤＤ１３）のスピンアップに要する時間を短縮でき、起動処理完了までに要する時間を短縮することができる。電源オフ状態においては、少なくともドライブ部への電源の供給を停止するため、省電力化を実現する。よって、電源オフ状態と記録待機状態を、ＨＤＤレコーダ１及びテレビ受像機２の使用状況に応じて適宜切り替えることにより、省電力化を実現しつつ、データ処理装置の起動時の迅速な録画開始処理を実現できる。【００５３】
なお、以上の説明では、ＨＤＤレコーダ１の記録媒体はＨＤＤ（ハードディスク装置）としたが、ＤＶＤ（Digital Versatile Disk）やＢＤ(Blu-ray Disc)のような光ディスクでもよい。【００５４】
また、制御部１１を、フロントパネル部１２の表示を制御する制御部と、フロントパネル部１２以外の制御を行う制御部の２つの制御部に分けても良い。この場合、電源オフ状態において、フロントパネル部１２の表示を制御する制御部に電源を供給し、フロントパネル部１２以外の制御を行う制御部には電源を供給しないようにするのが好ましい。
【産業上の利用可能性】
【００５５】
本発明は、ＨＤＤなどの起動に時間がかかる記録媒体を内蔵したデータ処理装置が、表示装置などから遠隔操作される場合において、起動の高速化を実現すると共に省電力化を実現している。このため、本発明はＨＤＤレコーダのような起動に時間がかかる記録媒体を内蔵したデータ処理装置に有効である。
【図１】
2008108070.tif 000003
【図２】
2008108070.tif 000004
【図３】
2008108070.tif 000005
【図４】
2008108070.tif 000006
【図５】
2008108070.tif 000007
【図６】
2008108070.tif 000008
【図７】
2008108070.tif 000009
【手続補正書】
【提出日】平成21年9月1日(2009.9.1)
【手続補正１】
【補正対象書類名】特許請求の範囲
【補正対象項目名】全文
【補正方法】変更
【補正の内容】
【特許請求の範囲】
【請求項１】
表示装置に接続可能であって、少なくとも電源オフ状態と記録待機状態と電源オン状態とのいずれかの状態で動作し得るデータ処理装置であって、
自装置に接続された表示装置から制御信号を受信する受信部と、
少なくとも映像または音声のいずれかを含むデータを取得し、前記取得したデータを記録媒体に格納するドライブ部と、
自装置への電源の供給を制御する電源制御部と、
自装置の動作状態を表示する表示部と、
を備え、
前記電源制御部は、前記電源オン状態及び前記記録待機状態では少なくとも前記ドライブ部へ電源を供給する一方、前記電源オフ状態では少なくとも前記ドライブ部への電源の供給を停止し、
前記表示部は、前記電源オン状態では電源オンを示すように動作する一方、前記記録待機状態及び前記電源オフ状態では電源オフを示すように動作し、
前記電源制御部は、
記録待機状態において、前記受信部が前記表示装置から少なくとも記録動作の開始を指示する信号を受信したときに、動作状態を記録待機状態から電源オン状態へ切り替える
ことを特徴とするデータ処理装置。
【請求項２】
記録待機状態において、前記受信部が前記表示装置から、前記データ処理装置の電源状態を問い合わせるための電源状態確認信号を受信したときに、電源状態を記録待機状態から電源オン状態へ切り替えることを特徴とする請求項１記載のデータ処理装置。
【請求項３】
電源オフ状態において、前記受信部が、前記表示装置が電源オンへ遷移したことを示す信号を受信したときに、電源状態を電源オフ状態から記録待機状態へ切り替えることを特徴とする請求項１に記載のデータ処理装置。
【請求項４】
さらに、映像および／または音声の信号を出力する信号出力部と、を備え、
前記電源制御部は、前記電源オン状態及び前記記録待機状態では、前記信号出力部へ電源を供給する一方、前記電源オフ状態では、前記信号出力部へ電源の供給を停止することを特徴とする請求項１記載のデータ処理装置。
【請求項５】
前記電源オフ状態において、前記表示部は電源オフであることを表示することを特徴とする請求項２記載のデータ処理装置。
【請求項６】
前記記録待機状態において、前記表示部は電源オフであることを表示することを特徴とする請求項２記載のデータ処理装置。
【請求項７】
外部接続された表示装置へ制御信号を送信する送信部をさらに備え、前記記録待機状態において、前記送信部が定期的に前記表示装置へ、前記表示装置の電源状態を問い合わせるための電源状態確認信号を送信することを特徴とする請求項１記載のデータ処理装置。
【請求項８】
前記記録待機状態において、前記受信部が、前記電源状態確認信号の応答として前記表示装置が電源オフであることを示す信号を受信したとき、または、前記電源状態確認信号を送信してから所定時間内に前記表示装置から応答を受信しなかったとき、または、前記電源状態確認信号の送信に失敗したときに、前記電源制御部は電源状態を記録待機状態から電源オフ状態へ切り替えることを特徴とする請求項７記載のデータ処理装置。
【請求項９】
前記記録待機状態において、前記受信部が前記表示装置から前記表示装置が電源オフになったことを示す信号を受信したとき、前記電源制御部は電源状態を記録待機状態から電源オフ状態へ切り替えることを特徴とする請求項１記載のデータ処理装置。
【請求項１０】
前記記録待機状態において、前記受信部が前記表示装置からデータ処理装置の電源をオンさせるための信号を受信したとき、前記電源制御部は電源状態を記録待機状態から電源オン状態へ切り替えることを特徴とする請求項１記載のデータ処理装置。
【請求項１１】
前記電源オフ状態において、前記受信部が前記表示装置からデータ処理装置の電源をオンさせるための信号を受信したとき、前記電源制御部は電源状態を前記電源オフ状態から前記電源オン状態へ切り替えることを特徴とする請求項１記載のデータ処理装置。
【請求項１２】
表示装置に接続可能であって、少なくとも電源オフ状態と記録待機状態と電源オン状態とのいずれかの状態で動作し得るデータ処理装置の電源制御方法であって、
前記データ処理装置は、
自装置に接続された表示装置から制御信号を受信する受信部と、
少なくとも映像または音声のいずれかを含むデータを取得し、前記取得したデータを記録媒体に格納するドライブ部と、
自装置への電源の供給を制御する電源制御部と、
自装置の動作状態を表示する表示部と、
を備え、
前記電源制御方法は、前記電源オフ状態では、少なくとも前記ドライブ部への電源の供給を停止する一方、前記記録待機状態及び前記電源オン状態では、少なくとも前記ドライブ部へ電源を供給し、また、前記表示部が前記電源オン状態では電源オンを示すように動作する一方、前記記録待機状態及び前記電源オフ状態では電源オフを示すように動作し、
記録待機状態において前記受信部が前記表示装置から記録の開始を指示する信号を受信したとき、データ処理装置の動作状態を記録待機状態から電源オン状態へ切り替える
ことを特徴とする電源制御方法。
【手続補正２】
【補正対象書類名】明細書
【補正対象項目名】全文
【補正方法】変更
【補正の内容】
【書類名】明細書
【発明の名称】データ処理装置及びその電源制御方法
【技術分野】
【０００１】
本発明は、光ディスクやハードディスク装置（ＨＤＤ）等の記録媒体に映像および／または音声のデータを記録可能なデータ処理装置に関し、特に、ＨＤＭＩやＩＥＥＥ１３９４などの通信インタフェースを介して表示装置と接続され、表示装置から送信される制御信号によって遠隔操作可能なデータ処理装置に関する。
【背景技術】
【０００２】
従来から、テレビ放送を受信し、映像を表示する表示装置（例えばテレビ受像機）と、テレビ放送のデータを記録可能なデータ処理装置とを通信インタフェースによって接続し、表示装置から送信される制御信号によってデータ処理装置を遠隔操作可能なシステムが提案されている。
【０００３】
例えば、特許文献１記載の記録再生装置は、セットトップボックス内蔵テレビ受像機と接続され、そのセットトップボックス内蔵テレビ受像機から送信される制御信号によって遠隔操作が可能である。この記録再生装置は、電源オフ状態において、セットトップボックス内蔵テレビ受像機から送信された電源オン信号を受信すると、電源オフ状態から電源オン状態に遷移し、さらに、予約番組記録信号を受信すると、内蔵する記録媒体に受信したテレビ放送のデータを記録する。なお、この記録再生装置は、電源オフ状態において、入出力手段と、信号処理手段と、記録手段と、制御手段への電力供給を停止しているが、制御信号の有無を検出する手段には電力供給を継続している。また、記録再生装置は、セットトップボックス内蔵テレビ受像機から送信された電源オン信号を受信したとき、入出力手段と信号処理手段と記録手段と制御手段への電源供給を開始する。このような構成によって、電源オフ状態における遠隔操作を実現すると同時に省電力化を実現している。
【０００４】
また、特許文献１は、セットトップボックス内蔵テレビ受像機からの予約登録方法について開示している。ここで提案されている方法は、セットトップボックス内蔵テレビ受像機から記録再生装置へ録画開始信号を送信する場合にも応用できる。
【０００５】
一般に、ハードディスク装置（以下「ＨＤＤ」という。）は停止状態から記録可能な状態になるまでにスピンアップを行う必要があり、そのスピンアップの完了に時間がかかる。特に、ＨＤＤが電源オフ状態（電源が供給されていない状態）から起動するときは、スピンアップの完了により多くの時間（例えば８〜２０秒程度）を要する。
【先行技術文献】
【０００６】
【特許文献】
【特許文献１】特開２００４−３４９７９０号公報
【特許文献２】特開２００６−２０９９４１号公報
【発明の概要】
【発明が解決しようとする課題】
【０００７】
特許文献１記載の記録再生装置において、記録手段の記録媒体としてＨＤＤを採用した場合、記録再生装置の電源オフ状態中にユーザがセットトップボックス内蔵テレビ受像機で視聴中の番組を録画開始するために、セットトップボックス内蔵テレビ受像機を操作し、セットトップボックス内蔵テレビ受像機が録画開始信号を送信しても、記録再生装置において即座に録画開始することはできないという問題がある。これは、前述のように、ＨＤＤを電源オフ状態から起動する場合、スピンアップにより多くの時間を要するからである。
【０００８】
この課題を解決する方法として、電源オフ状態において記録手段へ電力を供給し、ＨＤＤを常に即座に記録可能な状態にしておくことが考えられる。しかし、この方法では、ＨＤＤは電力消費量が大きいため、省電力化が実現できない。
【０００９】
上記の課題を解決する方法として、特許文献２記載のデータ処理装置のように、データバッファを搭載し、ＨＤＤのスピンアップ完了まではデータバッファに一時的に記録しておき、スピンアップ完了後にデータバッファに記録されたデータをＨＤＤへ書き込む方法がある。しかし、この方法では、データバッファを新たに設ける必要があり、構造が複雑となり、製造コストが増加する。
【００１０】
本発明は、上記の課題を解決するためになされたものであり、その目的とするところは、簡単な構成で、ユーザが視聴中の番組を即座に録画開始することを実現し、さらに、省電力化を実現するデータ処理装置を提供することにある。
【課題を解決するための手段】
【００１１】
本発明に係るデータ処理装置は、表示装置に接続可能であって、少なくとも電源オフ状態と記録待機状態と電源オン状態とのいずれかの状態で動作し得る。
【００１２】
本発明に係るデータ処理装置は、自装置に接続された表示装置から制御信号を受信する受信部と、少なくとも映像または音声のいずれかを含むデータを取得し、前記取得したデータを記録媒体に格納するドライブ部と、自装置への電源の供給を制御する電源制御部と、自装置の動作状態を表示する表示部と、を備える。
【００１３】
前記電源制御部は、前記電源オン状態及び前記記録待機状態では少なくとも前記ドライブ部へ電源を供給する一方、前記電源オフ状態では少なくとも前記ドライブ部への電源の供給を停止し、前記表示部は、前記電源オン状態では電源オンを示すように動作する一方、前記記録待機状態及び前記電源オフ状態では電源オフを示すように動作し、前記電源制御部は、記録待機状態において、前記受信部が前記表示装置から少なくとも記録動作の開始を指示する信号を受信したときに、データ処理装置の動作状態を記録待機状態から電源オン状態へ切り替える。
【００１４】
本発明に係る電源制御方法はデータ処理装置の電源制御方法である。本発明の電源制御方法は、表示装置に接続可能であって、少なくとも電源オフ状態と記録待機状態と電源オン状態とのいずれかの状態で動作し得る。データ処理装置は、自装置に接続された表示装置から制御信号を受信する受信部と、少なくとも映像または音声のいずれかを含むデータを取得し、前記取得したデータを記録媒体に格納するドライブ部と、自装置への電源の供給を制御する電源制御部と、自装置の動作状態を表示する表示部と、を備える。
【００１５】
前記電源制御方法は、前記電源オフ状態では、少なくとも前記ドライブ部への電源の供給を停止する一方、前記記録待機状態及び前記電源オン状態では、少なくとも前記ドライブ部へ電源を供給し、また、前記表示部が前記電源オン状態では電源オンを示すように動作する一方、前記記録待機状態及び前記電源オフ状態では電源オフを示すように動作し、記録待機状態において前記受信部が前記表示装置から記録の開始を指示する信号を受信したとき、データ処理装置の動作状態を記録待機状態から電源オン状態へ切り替える。
【発明の効果】
【００１６】
本発明によれば、電源オフ状態と記録待機状態と電源オン状態の三つの電源状態が切り替えられる。電源オフ状態において、少なくとも、ドライブ部への電源の供給を停止し、これによって省電力化を実現する。また、記録待機状態において、ドライブ部を動作可能な状態にしているため、表示装置からの記録開始指示信号を受信したときに、ドライブ部でのスピンアップに要する時間を短縮でき、ユーザ操作から実際に記録が開始されるまでに要する時間が短縮できる。本発明によれば、三つの電源状態を適宜切り替えることで、簡単な構成で、省電力化及びデータ処理装置の起動時の迅速な録画開始処理を実現するデータ処理装置を実現できる。
【図面の簡単な説明】
【００１７】
【図１】本発明の実施の形態における、データ処理装置及びテレビ受像機からなるシステムの構成図
【図２】ＨＤＤレコーダの各電源状態における、制御部と信号出力部とドライブ部（ＨＤＤ）への電源供給の状態と、フロントパネル部での表示を説明した図
【図３】ＨＤＤレコーダの電源状態の遷移図
【図４】ＨＤＤレコーダが電源オン状態においてテレビ受像機から録画開始を指示される際の通信シーケンス図
【図５】ＨＤＤレコーダが電源オフ状態においてテレビ受像機から録画開始を指示される際の通信シーケンス図
【図６】ＨＤＤレコーダが記録待機状態においてテレビ受像機から録画開始を指示される際の通信シーケンス図
【図７】ＨＤＤレコーダが記録待機状態においてテレビ受像機から受信した電源状態通知信号に基づいて電源状態を切り替える際の通信シーケンス図
【発明を実施するための形態】
【００１８】
以下、添付の図面を参照して本発明の実施の形態について説明する。
【００１９】
１．システム構成及び動作
図１に本発明に係るデータ処理装置の一実施形態であるＨＤＤレコーダとテレビ受像機からなるシステムの構成を示す。図１において、ＨＤＤレコーダ１（データ処理装置）とテレビ受像機２（表示装置）はＨＤＭＩ（High-Definition Multimedia Interface）によって接続される。ＨＤＤレコーダ１は、ＨＤＭＩインタフェース３、受信部５、送信部６、電源制御部７、信号出力部８、信号処理部９、ドライブ部１０、制御部１１、フロントパネル部１２、ＨＤＤ１３、チューナ１４によって構成される。ＨＤＤレコーダ１の動作は、制御部１１が所定のプログラムを実行することにより制御される。テレビ受像機２はＨＤＭＩインタフェース４を備える。ＨＤＤレコーダ１とテレビ受像機２は共にアンテナ１５を介して放送波信号を受信する。
【００２０】
ＨＤＤレコーダ１は受信している放送波信号を映像および／または音声のデータへ変換し、ドライブ部１０のＨＤＤ１３に記録する機能を有する。チューナ１４は受信した放送波信号を信号処理部９へ送信する。信号処理部９はその放送波信号を映像および／または音声のデータへ変換し、その映像および／または音声データを信号出力部８へ出力する。信号出力部８は、ＨＤＭＩインタフェース３を介して、入力した映像および／または音声のデータをテレビ受像機２へ送信する。テレビ受像機２は、ＨＤＭＩインタフェース４を介して入力した映像および／または音声のデータを表示、出力する。
【００２１】
ここで、ＨＤＤレコーダ１に対してユーザ操作によってチャンネル切換が指示されると、制御部１１はチューナ１４に対して選局を指示し、ユーザが指定したチャンネルへと切り換える。また、ユーザ操作によって、受信中の番組の録画が指示されると、制御部１１は信号処理部９に対して、映像および／音声データをドライブ部１０へ出力することを指示し、ドライブ部１０は映像および／音声データをＨＤＤ１３へ記録する。以後、ユーザ操作によって、録画停止が指示されるまで、ドライブ部１０は映像および／音声データの記録を継続する。
【００２２】
本実施形態のＨＤＤレコーダ１は、テレビ受像機２から制御信号を受信し、その制御信号による遠隔操作が可能となっている。受信部５は、ＨＤＭＩインタフェース３を介して、テレビ受像機２からの制御信号を受信し、その制御信号を制御部１１へ通知する。制御部１１がその制御信号に基づき動作することによって、ＨＤＤレコーダ１はテレビ受像機２からの遠隔操作を実現する。また、送信部６は、ＨＤＭＩインタフェース３を介して、テレビ受像機２へ制御信号を送信する。なお、ＨＤＤレコーダ１とテレビ受像機２の間の制御信号の送受信においてＨＤＭＩインタフェース３への電源供給は必要ない。
【００２３】
２．  ＨＤＤレコーダの電源状態
以下、ＨＤＤレコーダ１の電源状態について説明する。ＨＤＤレコーダ１はＡＣ電源によって駆動し、「電源オン状態」と「電源オフ状態」と「記録待機状態」の三つの電源状態を有する。この電源状態は電源制御部７により切替えられる。電源状態に応じて電源が供給される処理部が異なる。ＨＤＤレコーダ１の電源状態に関わらず、電源制御部７とフロントパネル部１２には常時電源が供給される。それ以外の処理部に対する電源供給は電源制御部７によって制御される。フロントパネル部１２は常時ＨＤＤレコーダ１の電源状態を示す表示を表示する。以下、各電源状態における制御について説明する。
【００２４】
２．１  各電源オン状態での制御
（１）電源オン状態での制御
ＨＤＤレコーダ１が「電源オン状態」のとき、電源制御部７は、全ての処理部、つまり、ＨＤＭＩインタフェース３と、受信部５と、送信部６と、信号出力部８と、信号処理部９と、ドライブ部１０と、制御部１１と、ＨＤＤ１３と、チューナ１４へ電源を供給する。この電源オン状態において、ＨＤＤレコーダ１は全ての機能が動作可能である。電源オン状態においてフロントパネル部１２は「電源オン」を表示する。
【００２５】
（２）電源オフ状態での制御
ＨＤＤレコーダ１が「電源オフ状態」のとき、電源制御部７は、受信部５と、送信部６と、制御部１１へのみ電源を供給する。この電源オフ状態において、ＨＤＤレコーダ１は「電源オン」以外のユーザ操作を受け付けることができないが、受信部５と、送信部６へ電源を供給することによって、テレビ受像機２からの遠隔操作を可能としている。ＨＤＤレコーダ１をテレビ受像機２から遠隔操作して使用するユーザにとっては、常に電源オン状態にしておく必要がない。電源オフ状態において遠隔操作を可能とすることで、ＨＤＤレコーダ１において省電力化を実現している。さらに、電源オフ状態において制御部１１へ電源を供給し続けることによって、制御部１１において動作するソフトウェアの起動を高速化でき、結果としてＨＤＤレコーダ１全体の起動の高速化を実現している。なお、この起動の高速化が不要であれば、制御部１１には電源を供給しなくてもよい。電源オフ状態においてフロントパネル部１２は「電源オフ」を表示する。
【００２６】
（３）記録待機状態での制御
ＨＤＤレコーダ１の記録待機状態において、電源制御部７は、全ての構成要素、つまり、ＨＤＭＩインタフェース３と、受信部５と、送信部６と、信号出力部８と、信号処理部９と、ドライブ部１０と、制御部１１と、ＨＤＤ１３と、チューナ１４へ電源を供給する。但し、このとき、信号出力部８は、映像および／または音声のデータの出力を停止している。また、フロントパネル部１２は「電源オフ」を表示する。このため、ユーザにとって、見た目は、電源オフ状態と記録待機状態の差がなく、ユーザが電源オフ状態と記録待機状態の違いを意識することはない。なお、記録待機状態において、電源制御部７は、少なくともドライブ部１０と制御部１１へ電源を供給すればよい。これは、ドライブ部１０に電源を供給して動作可能な状態にしておけば、その起動時においてスピンアップに要する時間を短縮できるからである。また、制御部１１はテレビ受像機２からの種々の制御信号を受信するために電源が供給され動作可能な状態にされている必要があるからである。
【００２７】
記録待機状態は、電源オフ状態と比較すると、ＨＤＭＩインタフェース３と、信号出力部８と、信号処理部９と、ドライブ部１０と、ＨＤＤ１３と、チューナ１４へ電源を供給している分だけ電力消費量が大きくなる。しかし、記録待機状態では、ＨＤＤ１３に電源が供給されているため、ＨＤＤ１３のスピンアップが完了し、ドライブ部１０が動作可能な状態となっているため、ＨＤＤレコーダ１全体の起動処理にかかる時間は短縮化される。
【００２８】
なお、図２に、ＨＤＤレコーダ１の各電源状態における、制御部１１及びドライブ部１０（ＨＤＤ１３を含む）への電源供給の有無と、映像および／または音声のデータの出力の有無と、フロントパネル部１２の表示内容とを示す。
【００２９】
２．２  電源状態間の遷移
図３を参照してＨＤＤレコーダ１の三つの電源状態の遷移を説明する。
【００３０】
（１）電源オフ状態から記録待機状態への遷移
電源オフ状態において、ＨＤＤレコーダ１は、テレビ受像機２が電源オンになったことを検知したとき、電源オフ状態から記録待機状態へ遷移する。例えば、テレビ受像機２は電源オンされると、接続確認信号をＨＤＤレコーダ１へ送信する。ＨＤＤレコーダ１は、その接続確認信号の受信により、テレビ受像機２が電源オンになったことを検知できる。なお、接続確認信号に限らず、テレビ受像機２から出力され得る所定の信号を受信したか否かを検出することで、テレビ受像機２が電源オンになったか否かを検知することができる。
【００３１】
（２）記録待機状態から電源オフ状態への遷移
ＨＤＤレコーダ１は、記録待機状態において、テレビ受像機２が電源オフになったことを検知すると、電源オフ状態へ遷移する。テレビ受像機２は電源がオフされると、電源オフ信号を送信する。ＨＤＤレコーダ１は、その電源オフ信号を受信すると、テレビ受像機２が電源オフになったことを検知する。または、記録待機状態において、ＨＤＤレコーダ１は電源状態確認信号をテレビ受像機２へ定期的に送信し、その応答に基づき電源オフ状態へ遷移する場合もある。具体的には、テレビ受像機２から電源状態確認信号の応答として電源状態通知信号を受ける。テレビ受像機２から受信した電源状態信号が「電源オフ」を示していた場合、テレビ受像機２が電源オフになったと認識し、記録待機状態から電源オフ状態へ遷移する。また、ＨＤＤレコーダ１は、記録待機状態において、テレビ受像機２から電源状態確認信号の応答として電源状態通知信号を受信できなかった場合は、テレビ受像機２のＨＤＭＩを介して遠隔操作する機能が無効化されたと認識し、電源状態確認信号の送信に失敗した場合は、テレビ受像機２とのＨＤＭＩによる接続が解除されたと認識し、記録待機状態から電源オフ状態へ遷移する。このシーケンスの詳細については後述する。
【００３２】
（３）記録待機状態から電源オン状態への遷移
また、ＨＤＤレコーダ１は、記録待機状態において、制御部１１が、フロントパネル部１２（またはリモコン）上でユーザによりなされたＨＤＤレコーダ１の電源をオンにするための指示を受信したときに、記録待機状態から電源オン状態へ切り替わる。または、記録待機状態において、ＨＤＤレコーダ１が、テレビ受像機２から、遠隔操作によるＨＤＤ１の電源をオンにするための信号（コマンド）である「電源オン信号」または、録画動作の開始を指示する信号である「録画開始信号」を受信したときに、電源オン状態へ切り替わる。または、ＨＤＤレコーダ１は、記録待機状態において、テレビ受像機２から、ＨＤＤレコーダ１の電源状態を問い合わせるための信号である「電源状態確認信号」を受信したときに、電源オン状態に遷移してもよい。
【００３３】
このように、ユーザがテレビ受像機２を視聴している間だけ、ＨＤＤレコーダ１は記録待機状態となる。これによって、録画開始にかかる時間を短縮すると共に、省電力化を実現している。
【００３４】
（４）電源オフ状態から電源オン状態への遷移
ＨＤＤレコーダ１は下記の場合に電源オフ状態から電源オン状態へ遷移する。すなわち、電源オフ状態において、制御部１１が、フロントパネル部１２（またはリモコン）上でユーザによりなされたＨＤＤレコーダ１の電源をオンにするための指示を受信したときに、電源オフ状態から電源オン状態へ切り替わる。または、電源オフ状態において、ＨＤＤレコーダ１が、テレビ受像機２から遠隔操作によるＨＤＤ１の電源をオンにするための「電源オン信号」を受信したときに、電源オン状態へ切り替わる。
【００３５】
（５）電源オン状態から電源オフ状態への遷移
ＨＤＤレコーダ１は下記の場合に電源オン状態から電源オフ状態へ遷移する。すなわち、電源オン状態において、制御部１１が、フロントパネル部１２上（またはリモコン）でユーザによりなされたＨＤＤレコーダ１の電源をオフにするための指示を受信したときに、電源オフ状態から電源オン状態へ切り替わる。または、電源オフ状態において、ＨＤＤレコーダ１が、テレビ受像機２から遠隔操作によるＨＤＤ１の電源をオフにするための「電源オフ信号」を受信したときに、電源オフ状態へ切り替わる。
【００３６】
２．３  各電源状態における動作
テレビ受像機２は受信している放送波信号を映像および／または音声のデータへ変換し、表示する機能を有する。ユーザはテレビ受像機２を用いて放送中の番組を視聴することができる。また、テレビ受像機２は、ＨＤＭＩインタフェース４を介して、ＨＤＤレコーダ１へ制御信号を送信し、テレビ受像機２で表示中の番組のデータをＨＤＤレコーダ１で即座に録画開始する機能を有する。このとき、ＨＤＤレコーダ１とテレビ受像機２の間の通信シーケンスはＨＤＤレコーダ１の電源状態によって異なる。以下、この通信シーケンスを説明する。
【００３７】
（１）ＨＤＤレコーダが電源オン状態の場合
ＨＤＤレコーダ１が電源オン状態だった場合における、テレビ受像機２で視聴中の番組を録画開始する処理について説明する。図４に、このときの通信シーケンスを示す。
【００３８】
テレビ受像機２に対するユーザ操作によって、表示中の番組の録画が指示されると、テレビ受像機２は、ＨＤＤ１レコーダの電源状態を問い合わせるための電源状態確認信号をＨＤＤレコーダ１へ送信する（Ｓ０１）。受信部５は、その電源状態確認信号を受信し、それを制御部１１へ通知する。制御部１１はＨＤＤレコーダ１の電源状態を確認し、確認結果を送信部６へ通知する。この場合、ＨＤＤレコーダ１は電源オン状態であるため、送信部６は「電源オン」を示す電源状態通知信号をテレビ受像機２へ送信する（Ｓ０２）。その電源状態通知信号（電源オン）を受信したテレビ受像機２は、ＨＤＤレコーダ１が電源オン状態であることを認識する。その後、テレビ受像機２は録画開始信号をＨＤＤレコーダ１へ送信する（Ｓ０３）。その録画開始信号を受信した受信部５は、それを制御部１１へ通知する。制御部１１は録画開始信号によって指定されたチャンネルへの選局処理を行った後、録画開始処理を実行する。制御部１１は録画処理が実際に開始された後に、録画開始結果を送信部６へ通知し、送信部６は録画開始結果通知信号をテレビ受像機２へ送信する（Ｓ０４）。
【００３９】
（２）ＨＤＤレコーダが電源オフ状態の場合
ＨＤＤレコーダ１が電源オフ状態だった場合における、テレビ受像機２でユーザが視聴中の番組を録画開始する処理について説明する。図５に、このときの通信シーケンスを示す。
【００４０】
テレビ受像機２に対するユーザ操作によって、表示中の番組の録画が指示されると、テレビ受像機２は電源状態確認信号をＨＤＤレコーダ１へ送信する（Ｓ０５）。受信部５は、その電源状態確認信号を受信し、それを制御部１１へ通知する。制御部１１はＨＤＤレコーダ１の電源状態を確認し、確認結果を送信部６へ通知する。この場合、ＨＤＤレコーダ１は電源オフ状態であるため、送信部６は「電源オフ」を示す電源状態通知信号をテレビ受像機２へ送信する（Ｓ０６）。その電源状態通知信号（電源オフ）を受信したテレビ受像機２は、ＨＤＤレコーダ１が電源オフ状態であることを認識し、ＨＤＤレコーダ１の電源をオンさせるための制御信号である「電源オン信号」をＨＤＤレコーダ１へ送信する（Ｓ０７）。ＨＤＤレコーダ１はその電源オン信号を受信すると、起動処理を開始する。すなわち、電源制御部７は、ＨＤＭＩインタフェース３と、信号出力部８と、信号処理部９と、ドライブ部１０と、ＨＤＤ１３と、チューナ１４への電源供給を開始する。電源オン信号を送信した後、テレビ受像機２は電源状態確認信号をＨＤＤレコーダ１へ送信する（Ｓ０８）。ＨＤＤレコーダ１は、起動処理開始後、起動処理が完了するまでは、電源状態確認信号に対して「起動中」を示す電源状態通知信号を応答する（Ｓ０９）。テレビ受像機２は、ＨＤＤレコーダ１から「電源オン」を示す電源状態通知信号を受信するまで、電源状態確認信号を定期的にＨＤＤレコーダ１へ送信する。
【００４１】
ＨＤＤレコーダ１は、ＨＤＤレコーダ１の起動処理が完了すると、テレビ受像機２から送信された電源状態確認信号に対して「電源オン」を示す電源状態通知信号を応答する（Ｓ１１）。その後、テレビ受像機２は録画開始信号をＨＤＤレコーダ１へ送信する（Ｓ１２）。受信部５はその録画開始信号を受信すると、それを制御部１１へ通知する。制御部１１は録画開始信号によって指定されたチャンネルへの選局処理を行った後、録画開始処理を実行する。制御部１１は録画処理が実際に開始された後に、録画開始結果を送信部６へ通知し、送信部６は録画開始結果通知信号をテレビ受像機２へ送信する（Ｓ１３）。
【００４２】
以上のように、ＨＤＤレコーダ１が電源オフ状態であった場合、テレビ受像機２は電源オン信号を送信し、それを受信したＨＤＤレコーダ１は起動処理を開始する。このとき、電源制御部７は、ＨＤＭＩインタフェース３と、信号出力部８と、信号処理部９と、ドライブ部１０と、ＨＤＤ１３と、チューナ１４への電源供給を開始し、処理部単位の起動処理が開始される。ＨＤＤレコーダ１全体の起動処理の完了は、処理部全ての起動処理が完了した後となる。ここで、ＨＤＤ１３はスピンアップに約８〜２０秒の時間がかかるため、特にドライブ部１０の起動処理に長い時間がかかる。このため、ユーザがテレビ受像機２で視聴中の番組を即座に録画しようと操作しても、実際には最初の約８〜２０秒を記録することができないという問題がある。
【００４３】
そこで、本実施形態では、前述の通り、ＨＤＤレコーダ１の電源状態として、電源オン状態と、電源オフ状態に加えて、記録待機状態を設けている。次に、ＨＤＤレコーダ１が記録待機状態の場合での動作を説明する。
【００４４】
（３）ＨＤＤレコーダが記録待機状態の場合
３−１）テレビ受像機からの録画開始要求受信時の処理
ＨＤＤレコーダ１が記録待機状態であった場合における、テレビ受像機２でユーザが視聴中の番組を録画開始する処理について説明する。図６に、このときの通信シーケンスを示す。
【００４５】
テレビ受像機２に対するユーザ操作によって、表示中の番組の録画が指示されると、テレビ受像機２は電源状態確認信号をＨＤＤレコーダ１へ送信する（Ｓ１４）。受信部５は、その電源状態確認信号を受信し、それを制御部１１へ通知する。制御部１１はＨＤＤレコーダ１の電源状態を確認し、確認結果を送信部６へ通知する。この場合、ＨＤＤレコーダ１は記録待機状態であるが、通信シーケンスを簡略化し、処理全体を高速化するために、送信部６は「電源オン」を示す電源状態通知信号をテレビ受像機２へ送信する（Ｓ１５）。その電源状態通知信号（電源オン）を受信したテレビ受像機２は、ＨＤＤレコーダ１が電源オン状態であると認識する。その後、テレビ受像機２は録画開始信号をＨＤＤレコーダ１へ送信する（Ｓ１６）。受信部５は、その録画開始信号を受信し、それを制御部１１へ通知し、ＨＤＤレコーダ１の起動処理が開始される。このとき、予め、ドライブ部１０は電源が供給され、動作可能な状態になっている。すなわち、ドライブ部１０はスピンアップに要する時間を短縮でき、このときに起動処理に要する時間Ｔ'は電源オフ状態において起動に要する時間Ｔ（図５参照）よりも短い。起動処理が完了すると、制御部１１は録画開始信号によって指定されたチャンネルへの選局処理を行った後、録画開始処理を実行する。制御部１１は録画処理が実際に開始された後に、録画開始結果を送信部６へ通知し、送信部６は録画開始結果通知信号をテレビ受像機２へ送信する（Ｓ１７）。
【００４６】
なお、記録待機状態（Ｓ１５参照）において、ＨＤＤレコーダ１は、テレビ受像機２から送信された電源状態確認信号に対する応答として「電源オン」を示す電源状態信号を送信していたが、「電源オフ」を示す電源状態信号を送信してもよい。また、ＨＤＤレコーダ１は、テレビ受像機２から送信された電源状態確認信号を最初に受信した時点で（図６のＡの時点で）、録画開始信号を待たずに起動処理を開始してもよい。
【００４７】
３−２）テレビ受像機から受信した電源状態通知信号に基づく電源状態の切替処理
次に、ＨＤＤレコーダ１が記録待機状態であった場合において、テレビ受像機２が電源オフした場合の電源状態の切替処理について説明する。図７に、このときの通信シーケンスを示す。
【００４８】
ＨＤＤレコーダ１の送信部６は、テレビ受像機２に対して、テレビ受像機２の電源状態を問い合わせるための電源状態確認信号を送信する（Ｓ２１）。テレビ受像機２はその電源状態確認信号に応答して、テレビ受像機２の電源状態を通知する電源状態通知信号をＨＤＤレコーダ１へ送信する（Ｓ２２）。Ｓ２２では、テレビ受像機２の「電源オン」を示す電源状態通知信号が送信されている。ＨＤＤレコーダ１の受信部５は、テレビ受像機２から電源状態通知信号を受けると、それを制御部１１へ通知する。制御部１１は「電源オン」を示す電源状態通知信号を受信したことにより、受像機２が電源オンであると認識し、その認識結果を電源制御部７へ通知する。電源制御部７はその認識結果を受けて記録待機状態を維持する。ＨＤＤレコーダ１は定期的にテレビ受像機２に対して電源状態確認信号を送信する。
【００４９】
テレビ受像機２は、電源オフの場合、ＨＤＤレコーダ１が送信した電源状態確認信号（Ｓ２３）の応答として「電源オフ」を示す電源状態通知信号をＨＤＤレコーダ１へ送信する（Ｓ２４）。ＨＤＤレコーダ１の受信部５は「電源オフ」を示す電源状態通知信号を受信すると、それを制御部１１へ通知する。制御部１１は「電源オフ」を示す電源状態通知信号を受信したことにより、テレビ受像機２が電源オフであると認識し、その認識結果を電源制御部７へ通知する。電源制御部７はその認識結果を受けて、電源状態を記録待機状態から電源オフ状態に切り替える。また、停電やその他の障害によりテレビ受像機２への電源供給が断たれた場合、または、テレビ受像機２のＨＤＭＩを介して遠隔操作する機能が無効化された場合、テレビ受像機２は電源状態確認信号の応答として電源状態通知信号を送信することはない。このため、ＨＤＤレコーダ１の制御部１１は、最後に電源状態確認信号を送信してから所定期間経過しても、テレビ受像機２から電源状態通知信号を受信しなかった場合（Ｓ２５）は、テレビ受像機２が電源オフである、または、テレビ受像機２から遠隔操作されることはないと認識し、その認識結果を電源制御部７へ通知する。また、ＨＤＤレコーダ１が電源状態確認信号の送信に失敗した場合、テレビ受像機２とのＨＤＭＩによる接続が解除されたと認識し、その認識結果を電源制御部７へ通知する。これらの場合も、電源制御部７は電源状態を記録待機状態から電源オフ状態に切り替える。
【００５０】
なお、電源状態確認信号として特別に信号を設ける必要はなく、テレビ受像機２が電源オンの場合に必ずＨＤＤレコーダ１へ出力される信号を監視してもよい。この場合、ＨＤＤレコーダ１の制御部１１は、その監視している信号を受信している間は、テレビ受像機２が電源オンであると認識でき、その監視している信号が受信できなくなったときに、テレビ受像機２が電源オフになったと認識できる。
【００５１】
３．まとめ
以上説明したように、本実施形態のＨＤＤレコーダ１によれば、電源供給状態として３つの電源状態（電源オン状態／電源オフ状態／記録待機状態）を設けた。特に、テレビ受像機２への映像／音声出力を停止して見かけ上”電源オフ”にするとともに、制御部１１及びドライブ部１０（ＨＤＤ１３）への電源供給を行う記録待機状態を設けた。記録待機状態では制御部１１への電源供給が行われていることから、テレビ受像機２からの遠隔操作が可能となる。また、ドライブ部１０（ＨＤＤ１３）へ電源供給が行われていることから、テレビ受像機２から記録開始信号を受信したときに、ドライブ部１０（ＨＤＤ１３）のスピンアップに要する時間を短縮でき、起動処理完了までに要する時間を短縮することができる。電源オフ状態においては、少なくともドライブ部への電源の供給を停止するため、省電力化を実現する。よって、電源オフ状態と記録待機状態を、ＨＤＤレコーダ１及びテレビ受像機２の使用状況に応じて適宜切り替えることにより、省電力化を実現しつつ、データ処理装置の起動時の迅速な録画開始処理を実現できる。
【００５２】
なお、以上の説明では、ＨＤＤレコーダ１の記録媒体はＨＤＤ（ハードディスク装置）としたが、ＤＶＤ（Digital Versatile Disk）やＢＤ(Blu-ray Disc)のような光ディスクでもよい。
【００５３】
また、制御部１１を、フロントパネル部１２の表示を制御する制御部と、フロントパネル部１２以外の制御を行う制御部の２つの制御部に分けても良い。この場合、電源オフ状態において、フロントパネル部１２の表示を制御する制御部に電源を供給し、フロントパネル部１２以外の制御を行う制御部には電源を供給しないようにするのが好ましい。
【産業上の利用可能性】
【００５４】
本発明は、ＨＤＤなどの起動に時間がかかる記録媒体を内蔵したデータ処理装置が、表示装置などから遠隔操作される場合において、起動の高速化を実現すると共に省電力化を実現している。このため、本発明はＨＤＤレコーダのような起動に時間がかかる記録媒体を内蔵したデータ処理装置に有効である。
【符号の説明】
【００５５】
１    ＨＤＤレコーダ（データ処理装置）
２    テレビ受像機（表示装置）
３    ＨＤＭＩインタフェース（ＨＤＤレコーダ）
４    ＨＤＭＩインタフェース（テレビ受像機）
５    受信部
６    送信部
７    電源制御部
８    信号出力部
９    信号処理部
１０    ドライブ部
１１    制御部
１２    フロントパネル部
１３    ＨＤＤ
１４    チューナ
１５    アンテナ
【手続補正３】
【補正対象書類名】図面
【補正対象項目名】全図
【補正方法】変更
【補正の内容】
【図１】
2008108070.tif 000010
【図２】
2008108070.tif 000011
【図３】
2008108070.tif 000012
【図４】
2008108070.tif 000013
【図５】
2008108070.tif 000014
【図６】
2008108070.tif 000015
【図７】
2008108070.tif 000016
【国際調査報告】
2008108070.tif 000017
2008108070.tif 000018